(57)【要約】【課題】前後方向ばかりでなく左右方向のバランスも容易に分かりやすく検査することのできる眼鏡の重量バランス検査装置を提供する。【解決手段】基準点Ｐを支点に傾動自在に支持されたテーブル２０と、テーブルの傾動を検知するスイッチ３１と、傾動した方向のランプ３２を点灯させる制御部３０と、眼鏡１００を、その適正重心位置Ｇを基準点Ｐに一致させた状態で載置するよう指定するブリッジ部の支持部材２２Ａと、を備える。【選択図】図１
2008096225.tif 000002
【特許請求の範囲】
【請求項１】
載置面上の１点を眼鏡の適正重心位置を示す基準点として定めたテーブルと、
前記載置面上に載せられた物体の重心が前記基準点から外れているとき、その外れた方向を検知するバランス検出手段と、
前記載置面上に設けられ、検査すべき物体である眼鏡をテンプルを開いた状態で所定の位置に載置するよう指定する眼鏡載置位置指定手段と、
前記バランス検出手段の検出結果に基づいて、前記眼鏡の重心の外れ方向または重量バランス調整が必要な部位を示す表示を行なう表示手段と、
を備えることを特徴とする眼鏡の重量バランス検査装置。
【請求項２】
請求項１に記載の眼鏡の重量バランス検査装置であって、
前記表示手段として、
前記テーブル上に載置される眼鏡の周囲に位置するように複数の光源が配置されていることを特徴とする眼鏡の重量バランス検査装置。
【請求項３】
請求項１または２に記載の眼鏡の重量バランス検査装置であって、
前記テーブルを、前記基準点を支点にして全方向傾動自在に支持すると共に、
前記バランス検出手段として、
前記テーブルの傾動方向に応じた電気信号を発生する検出手段を設けたことを特徴とする眼鏡の重量バランス検査装置。
【請求項４】
請求項３に記載の眼鏡の重量バランス検査装置であって、
前記検出手段として、前記テーブルの下部に、前記基準点の周りにその周方向に間隔をおいて複数のスイッチを配置し、
前記テーブルが所定以上に傾いたときに、傾いた方向に配置してあるスイッチがＯＮするように構成したことを特徴とする眼鏡の重量バランス検査装置。
【請求項５】
請求項３に記載の眼鏡の重量バランス検査装置であって、
前記検出手段として、前記テーブルに、該テーブルの傾斜方向に応じた信号を出力し得る傾斜センサを取り付けたことを特徴とする眼鏡の重量バランス検査装置。
【請求項６】
請求項１または２に記載の眼鏡の重量バランス検査装置であって、
前記バランス検出手段として、
前記テーブルの下面に、前記テーブルに加わる荷重に応じた電気信号を発生する検出手段を設け、
この検出手段は、前記基準点の周りにその周方向に間隔をおいて配置された複数の荷重検出素子により構成したことを特徴とする眼鏡の重量バランス検査装置。
【請求項７】
請求項1〜６のいずれか１項に記載の眼鏡の重量バランス検査装置であって、
前記バランス検出手段が、前記物体の重心の前記基準点からの外れ度合いを含めた信号を出力し、前記表示手段が、前記物体の重心の前記基準点からの外れ度合いが分かる表示を行うことを特徴とする眼鏡の重量バランス検査装置。
【請求項８】
請求項１〜７のいずれか１項に記載の眼鏡の重量バランス検査装置であって、
前記基準点が、前記テーブルの重心に設定されていることを特徴とする眼鏡の重量バランス検査装置。
【請求項９】
請求項１〜８のいずれか１項に記載の眼鏡の重量バランス検査装置であって、
前記テーブルの平面形状が略円形に形成され、前記基準点が、テーブルの平面形状の幾何学中心に設定されていることを特徴とする眼鏡の重量バランス検査装置。
【請求項１０】
請求項１〜８のいずれか１項に記載の眼鏡の重量バランス検査装置であって、
前記テーブルの平面形状が略円形に形成され、前記基準点が、テーブルの平面形状の図形中心から偏心した位置に設定され、偏心によりテーブルの周縁との距離が最短の位置にフロント部を向けて眼鏡を載置するように、前記眼鏡載置位置指定手段が設けられていることを特徴とする眼鏡の重量バランス検査装置。
【請求項１１】
請求項１〜１０のいずれか１項に記載の眼鏡の重量バランス検査装置であって、
前記テーブルに、自身の重量バランスを調整する手段が設けられていることを特徴とする眼鏡の重量バランス検査装置。
【請求項１２】
請求項１〜１１のいずれか１項に記載の眼鏡の重量バランス検査装置であって、
前記眼鏡載置位置指定手段として、前記テーブルの載置面上に、眼鏡をイメージした図形が描かれていることを特徴とする眼鏡の重量バランス検査装置。
【請求項１３】
請求項１２に記載の眼鏡の重量バランス検査装置であって、
前記眼鏡をイメージした図形の位置が調節可能とされていることを特徴とする眼鏡の重量バランス検査装置。
【請求項１４】
請求項１〜１３のいずれか１項に記載の眼鏡の重量バランス検査装置であって、
前記眼鏡載置位置指定手段として、前記テーブルの載置面上に、眼鏡のブリッジ部を載せる支持部材が設けられていることを特徴とする眼鏡の重量バランス検査装置。
【発明の詳細な説明】
【技術分野】
【０００１】
本発明は、眼鏡の重量バランス検査装置に関するものである。
【背景技術】
【０００２】
眼鏡の重心の位置は、眼鏡を装着したときの安定感や装用感等に影響することから、非常に重要な要素である。眼鏡は、フレームに左右のレンズを嵌めた時点で重量バランスが変わるため、フレームにレンズを装着後、必要により簡単にフィッティングを行った後、バランス調整することが望ましく、従来では、特許文献１のように、眼鏡のテンプル部等にバランスウエイトを付ける等により、眼鏡のバランスを調整することが考えられている。
【０００３】
ところで、従来においては、眼鏡の重心を確認する方式として、特許文献１には、計算により求めたり、秤で鼻部支点と耳部支点の荷重を測定しそれを基に算出する方法が示されている。
【０００４】
また、特許文献２には、図１２に記載のような眼鏡の重心観察具が示されている。図１２は特許文献２に記載の眼鏡の重心観察具の概略構成を示している。
【０００５】
この重心観察具２００は、概略矩形板状に形成されていて、上側中央部に、眼鏡２５０がレンズ側２５１を一辺２０１ａに向けて載置される眼鏡載置部２０２を有する眼鏡載置板２０１と、該眼鏡載置板２０１の下側であって、該眼鏡載置板２０１の上記一辺２０１ａとその反対側の一辺２０１ｂとのほぼ中央位置に相当する線状重心２０５に一致させて設けられる支点部材２１０と、を具備し、眼鏡載置部２０２における前記線状重心２０５の上に、前後方向長さの中央部に重心を有する眼鏡の該重心を一致させる目印２０７が形成された構成のものである。
【０００６】
この重心観察具２００を用いる場合は、目印２０７に従って眼鏡載置部２０２に検査対象の眼鏡２５０を載置する。そして、矢印で示すように、前後方向のどちらに眼鏡載置板２０１が傾くかによって、眼鏡２５０の重心位置の前後方向のずれを目視で観察する。
【０００７】
【特許文献１】特開２００４−１８４８１９号公報
【特許文献２】登実第３１１５７９８号公報
【発明の開示】
【発明が解決しようとする課題】
【０００８】
ところで、眼鏡の重量バランスは、左右方向についても重要であるが、図１１に示した従来の眼鏡の重心観察具２００では、目印２０７に従って眼鏡２５０を載せても、前後方向のバランスしか確認できない。
【０００９】
また、従来のように秤を用いて測定し算出する場合は、測定や算出に手間がかかるという問題がある。また、重心位置を算出しそれを基にバランス調整した後、さらに重量バランスを確認したい場合は、再度同じ作業が必要となる。実際、眼鏡店の店頭で検査することを想定した場合、店員ばかりでなく、お客にとっても、もっと即座に分かりやすくする必要がある。
【００１０】
本発明は、上記事情を考慮し、前後方向ばかりでなく左右方向のバランスも容易に分かりやすく検査することのできる眼鏡の重量バランス検査装置を提供することを目的とする。
【課題を解決するための手段】
【００１１】
請求項１の発明は、載置面上の１点を眼鏡の適正重心位置を示す基準点として定めたテーブルと、前記載置面上に載せられた物体の重心が前記基準点から外れているとき、その外れた方向を検知するバランス検出手段と、前記載置面上に設けられ、検査すべき物体である眼鏡をテンプルを開いた状態で所定の位置に載置するよう指定する眼鏡載置位置指定手段と、前記バランス検出手段の検出結果に基づいて、前記眼鏡の重心の外れ方向または重量バランス調整が必要な部位を示す表示を行なう表示手段と、を備えることを特徴としている。
【００１２】
請求項２の発明は、請求項１に記載の眼鏡の重量バランス検査装置であって、前記表示手段として、前記テーブル上に載置される眼鏡の周囲に位置するように複数の光源が配置されていることを特徴としている。
【００１３】
請求項３の発明は、請求項１または２に記載の眼鏡の重量バランス検査装置であって、前記テーブルを、前記基準点を支点にして全方向傾動自在に支持すると共に、前記バランス検出手段として、前記テーブルの傾動方向に応じた電気信号を発生する検出手段を設けたことを特徴としている。
【００１４】
請求項４の発明は、請求項３に記載の眼鏡の重量バランス検査装置であって、前記検出手段として、前記テーブルの下部に、前記基準点の周りにその周方向に間隔をおいて複数のスイッチを配置し、前記テーブルが所定以上に傾いたときに、傾いた方向に配置してあるスイッチがＯＮするように構成したことを特徴としている。
【００１５】
請求項５の発明は、請求項３に記載の眼鏡の重量バランス検査装置であって、前記検出手段として、前記テーブルに、該テーブルの傾斜方向に応じた信号を出力し得る傾斜センサを取り付けたことを特徴としている。
【００１６】
請求項６の発明は、請求項１または２に記載の眼鏡の重量バランス検査装置であって、前記バランス検出手段として、前記テーブルの下面に、前記テーブルに加わる荷重に応じた電気信号を発生する検出手段を設け、この検出手段は、前記基準点の周りにその周方向に間隔をおいて配置された複数の荷重検出素子により構成したことを特徴としている。
【００１７】
請求項７の発明は、請求項1〜６のいずれか１項に記載の眼鏡の重量バランス検査装置であって、前記バランス検出手段が、前記物体の重心の前記基準点からの外れ度合いを含めた信号を出力し、前記表示手段が、前記物体の重心の前記基準点からの外れ度合いが分かる表示を行うことを特徴としている。
【００１８】
請求項８の発明は、請求項１〜７のいずれか１項に記載の眼鏡の重量バランス検査装置であって、前記基準点が、前記テーブルの重心に設定されていることを特徴としている。
【００１９】
請求項９の発明は、請求項１〜８のいずれか１項に記載の眼鏡の重量バランス検査装置であって、前記テーブルの平面形状が略円形に形成され、前記基準点が、テーブルの平面形状の幾何学中心に設定されていることを特徴としている。
【００２０】
請求項１０の発明は、請求項１〜８のいずれか１項に記載の眼鏡の重量バランス検査装置であって、前記テーブルの平面形状が略円形に形成され、前記基準点が、テーブルの平面形状の図形中心から偏心した位置に設定され、偏心によりテーブルの周縁との距離が最短の位置にフロント部を向けて眼鏡を載置するように、前記眼鏡載置位置指定手段が設けられていることを特徴としている。
【００２１】
請求項１１の発明は、請求項１〜１０のいずれか１項に記載の眼鏡の重量バランス検査装置であって、前記テーブルに、自身の重量バランスを調整する手段が設けられていることを特徴としている。
【００２２】
請求項１２の発明は、請求項１〜１１のいずれか１項に記載の眼鏡の重量バランス検査装置であって、前記眼鏡載置位置指定手段として、前記テーブルの載置面上に、眼鏡をイメージした図形が描かれていることを特徴としている。
【００２３】
請求項１３の発明は、請求項１２に記載の眼鏡の重量バランス検査装置であって、前記眼鏡をイメージした図形の位置が調節可能とされていることを特徴としている。
【００２４】
請求項１４の発明は、請求項１〜１３のいずれか１項に記載の眼鏡の重量バランス検査装置であって、前記眼鏡載置位置指定手段として、前記テーブルの載置面上に、眼鏡のブリッジ部を載せる支持部材が設けられていることを特徴としている。
【発明の効果】
【００２５】
請求項１の発明によれば、テーブルに検査対象の眼鏡（フレームにレンズを嵌めた完成品の眼鏡）を載置した状態において、バランス検出手段により前記眼鏡の重心の外れ方向が検出され、その測定結果に基づいて表示手段により眼鏡の重心の外れている方向または重量バランス調整が必要な部位が示されるので、重心が適正位置からずれているのかどうか、前後左右のどの方向に重心がずれているのかを容易に確認できる。従って、前後のバランスばかりでなく、左右のバランス調整もできる。
【００２６】
また、重心の偏心の方向を、前記バランス検出手段により検出することよって判断するので、従来のように眼鏡を載置したテーブル（眼鏡載置板）の傾きを目視で観察するのと違い、即座に正確に重心のずれている方向を判別することができ、バランス調整がしやすくなる。従って、眼鏡店の店頭などにおいて、お客に見せながら、そして、お客に納得して貰いながら、眼鏡の重量バランスを調整することができる。
【００２７】
また、検査時には、テーブル上に眼鏡を載せ、前記表示手段の表示に応じて、例えば、眼鏡フレームのモダン部に取り付けるバランスウェイトの重量選定をすることができる。その場合、バランスウェイトを、眼鏡フレームに直接固定せずとも、バランスウェイトの装着予定部位（例えばモダン部）の近傍のテーブル上に置くだけで、計測結果を近似させることができる。従って、効率よく、適切なバランスウェイトの重量選定を行うことができ、店頭での利便性の向上が図れる。
【００２８】
請求項２の発明によれば、光源の点灯状況によって、重心のずれている方向を即座に理解することができる。
【００２９】
請求項３の発明によれば、重心のずれによるテーブルの傾きを電気的に検出するようにしたので、簡単な構成でバランス検査を実現できる。
【００３０】
請求項４の発明によれば、複数のスイッチでテーブルの傾きを検出するようにしているので、電気回路を簡単に構成することができる。
【００３１】
請求項５の発明によれば、傾斜センサでテーブルの傾きを検出するようにしているので、シンプルな構造にすることができる。
【００３２】
請求項６の発明によれば、複数の荷重検出素子でテーブルに作用する荷重の偏在を検出するようにしているので、構造の単純化が図れる。
【００３３】
請求項７の発明によれば、重心の外れ度合い（偏心の度合い）が分かるようにしたので、バランス調整のためのバランスウェイトの選定が簡単にできるようになる。なお、重心の外れ度合いは、ランプの輝度を変えたり、表示する数値を変えたりすることで、知らせることができる。
【００３４】
請求項８の発明によれば、基準点をテーブルの重心に設定しているので、テーブルの支持構造の単純化が図れる上、正確な検査が可能になる。
【００３５】
請求項９の発明によれば、略円形のテーブルの中心に基準点を設定しているので、設計・製作・組立の単純化が図れる。
【００３６】
請求項１０の発明によれば、略円形のテーブルの中心から偏心した位置に基準点を設定し、テーブルの周縁との距離が最短の位置にフロント部を向けて眼鏡を載置するように構成したので、平面寸法の小型化を図ることができる。
【００３７】
請求項１１の発明によれば、テーブル自身に重量バランス調整手段を設けたので、組立時の調整や測定時の較正が簡単にできる。
【００３８】
請求項１２の発明によれば、検査する際には、テーブル上のイメージ図形に沿って眼鏡を置けばよいので、簡単に検査ができる。
【００３９】
請求項１３の発明によれば、そのイメージ図形の位置を変えることができるので、適正重心位置の変更にも容易に対応できる。
【００４０】
請求項１４の発明によれば、眼鏡載置位置指定手段として、テーブルの載置面上に、眼鏡のブリッジ部を載せる支持部材を設けたので、所定位置に安定姿勢で眼鏡をテーブル上にセットすることができる。
【発明を実施するための最良の形態】
【００４１】
以下、本発明の各実施形態について図面を参照しながら説明する。
図１〜図１０を用いて以下に説明する各実施形態の眼鏡の重量バランス検査装置Ｋ１〜Ｋ５は、基本的に、図１に例を示すように、机等の台上に水平に置かれるベース１０と、ベース１０上に支持されたテーブル２０と、表示手段としての複数のＬＥＤランプ３２と、スイッチ３１等の検出手段の信号に基づいて主にランプ（光源）３２を点灯制御する制御部（電源や制御回路を含む）３０と、テーブル２０上に設けられた眼鏡載置位置指定手段（後述）と、を備えている。
【００４２】
テーブル２０の上面が検査対象の眼鏡１００の載置面とされており、載置面上の１点が、バランス計測の基準点Ｐとして設定されている。また、制御部３０は、バランス検出手段を含んでおり、バランス検出手段は、載置面上に物体を載せない非載置の状態で第１の信号を出力するよう初期設定され、載置面上に物体を載せ、その物体の重心が前記基準点Ｐ上に位置するとき第２の信号を出力すると共に、その物体の重心が前記基準点Ｐから外れているとき、その外れた方向が分かる第３の信号を出力する。
【００４３】
眼鏡載置位置指定手段は、載置面上に設けられ、検査すべき物体である眼鏡１００を、その適正重心位置を前記基準点Ｐに一致させた状態で載置するように指定するものである。
【００４４】
ここで、検査対象の眼鏡１００について簡単に述べる。
図１に示すように、検査対象の眼鏡１００は、眼鏡フレーム１０１のフロント部１０２
の左右のレンズ枠（リム）に左右のレンズ１２０をそれぞれを嵌めたもので、眼鏡フレーム１０１には、そのほかに、左右のレンズ枠を繋ぐブリッジ部１０４と、ブリッジ部１０４あるいはレンズ枠に取付けられた鼻パッド（図示略）と、フロント部１０２の両端から後方へ延びるテンプル部１０３と、テンプル部１０３の後端の耳掛け部であるモダン部１０５とが設けられている。装用者は、眼鏡フレーム１０１の鼻パッドを鼻の上にのせ、モダン部１０５を耳に掛けることで、眼鏡１００を装用する。バランス検査する場合は、装用時の形態にテンプル１０３を開いて、眼鏡１００をテーブル２０上に載せる。
【００４５】
次に各実施形態について個別に説明する。
＜第１実施形態＞
図１は第１実施形態の眼鏡の重量バランス検査装置Ｋ１の構成を示すもので、（ａ）は平面図、（ｂ）は側断面図である。また、図２は図１（ｂ）の要部を拡大して示す図である。
【００４６】
この検査装置Ｋ１は、平面視円形のベース１０の上に、円形のテーブル２０を全方向傾動自在に支持したものである。この場合、テーブル２０の幾何学中心Ｏ（テーブル２０の重心でもある）に基準点Ｐが設定されており、その基準点Ｐを支点にして、テーブル２０が全方向傾動自在に支持されている。その支持は、ベース１０の中心に立設した支持ピン１５の先端に、下面を円錐状に上方に凹ませた中心コーン部２５を載せることで行われている。
【００４７】
テーブル２０とベース１０の間には、テーブル２０の回り止め手段が設けられている。回り止め手段は、ベース１０に立設したピン１６と、ピン１６の貫通するテーブル２０側の貫通孔２６とからなる。但し、回り止め手段は、テーブル２０の自由な傾動を妨げないように構成されている。回り止め手段を設けることにより、略円形のテーブル２０を回り止めするので、テーブル２０が無用に回転せず、検査の精度を上げることができる。
【００４８】
また、テーブル２０の下面には、テーブル２０自身の重量バランスを調整するためのバランス調整ネジ２３が、基準点Ｐの周りにその周方向に間隔をおいて複数設けられている。このバランス調整ネジ２３を調整することによって、各調整ネジ２３の基準点Ｐからの距離を変更できるので、基準点Ｐにテーブル２０の重心が一致するように調整することが可能である。
【００４９】
なお、前記テーブルの傾動方向の検知を適度な感度にするため、テーブル２０は、ある程度の水平復元性を持つように支持されている。水平復元性を持たせるには、テーブル２０の重心高さを支持点（支持ピン１５と中心コーン部２５の接触点）よりも低めに設定したり、支持ピン１５と中心コーン部２５の接触点の接触面積を大きくしたり（例えば、接触点に微小の水平面を設けるなど）、テーブル２０の周囲を弱いバネ等の弾性部材で支持したり（後述するスイッチ３１に内蔵されたバネで支持することも含む）、すること等が有効である。
【００５０】
また、テーブル２０の下側には、バランス検出手段の一要素として、テーブル２０の傾動方向に応じた電気信号を発生する検出手段である複数のスイッチ３１が設けられている。スイッチ３１は、基準点Ｐを中心とした円周方向に間隔をおいて配置され、テーブル２０が所定以上に傾いたときに、傾いた方向に配置してあるスイッチ３１がＯＮするようになっている。
【００５１】
また、テーブル２０の下側の周囲には、第１〜第３の信号に応じた表示を行う表示手段としての複数のＬＥＤランプ３２が配設されている。これらランプ３２やスイッチ３１は、ベース１０に設けられたブラケット１４に取り付けられており、ランプ３２の光は、ベース１０の周縁から立ち上がった透光壁１１から外部に放射されるようになっている。透光壁１１は、例えば乳白色の樹脂板等でベース１０と一体に形成されており、ベース１０とテーブル２０の周縁隙間を塞ぐ機能も果たしている。テーブル２０、ベース１０、透光壁１１のデザインや色などは、任意に選定することができる。
【００５２】
このように、テーブル２０とベース１０の周縁隙間を透光壁１１で塞ぐことによって、検査装置Ｋ１は円形の箱形に構成されており、内部には制御部３０が配設されている。
【００５３】
制御部３０は、各スイッチ３１の信号を取り込んで、ランプ３２を点灯制御する機能を有しており、少なくとも第３の信号が発生したとき、つまり、載置した眼鏡１００の重心が基準点Ｐから外れているときには、前述した第１、第２の信号が発生したときとは異なるランプ３２の点灯制御を行い、しかも、第３の信号の内容に相応した位置にあるランプ３２の点灯制御を行うことで、眼鏡１００の重心の外れ方向を表示する。
【００５４】
また、テーブル２０の上面には、眼鏡載置位置指定手段として、眼鏡１００のブリッジ部１０４を載せる支持部材２２Ａが設けられており、この支持部材２２Ａにブリッジ部１０４を掛けて眼鏡１００をテーブル２０上に載せることにより、眼鏡１００の適正重心位置Ｇ（例えば、フロント部１０２の左右方向の中心から約３０ｍｍ程度後方の位置）を基準点Ｐに一致させた状態で、眼鏡１００を簡単にセットすることができるようになっている。なお、ブリッジ部１０４の支持部材２２Ａを設ける代わりに、図５に示すように、テーブル２０の上面（載置面）に、眼鏡１００をイメージした図形２２Ｂを描いてもよい。また、テーブル２０の上面のモダン部１０５の位置する近傍には、バランスウェイト（錘）を載せる凹み２７が必要に応じて設けられている。
【００５５】
次に検査方法を説明する。
この検査装置Ｋ１で眼鏡１００の重量バランスを検査する場合は、まず、テーブル２０上に物を載せない状態で、図示しないメインスイッチをＯＮして、検査装置Ｋ１を検査できる状態にする。この非載置の状態では、テーブル２０は傾かないので、初期設定により、制御部３０は第１の信号を出力する。第１の信号が出力された場合、何も外部に知らせないでもよいが、例えば、１回だけブザー音を鳴らしたり、短時間だけ適当なランプを点灯させたりして、検査態勢が整っていることを知らせてもよい。なお、非載置の状態で、テーブルの傾きが検知され、第３の信号が出力された場合は、設置場所をかえたり、前記調整ネジを調節して較正したりする。
【００５６】
次に、眼鏡１００を、眼鏡載置位置指定手段の指定通りにテーブル２０上に載置する。つまり、ブリッジ部１０４を支持部材２２Ａに掛けて、眼鏡１００を正しい姿勢でテーブル２０上に載せる。その状態で、眼鏡１００の重心が基準点Ｐに一致している場合は、テーブル２０が傾かないので、制御部３０は第２の信号を出力する。従って、その第２の信号の発生により、バランスが良好であると判断することができる。この場合も、第２の信号が出力されたときに、何も外部に知らせないでもよいが、例えば、ブザー音（初期設定と異なるブザー音）を鳴らしたり、適当なランプを点灯（初期設定と異なる形態での点灯）させたりして、バランス状態が良好であることを知らせてもよい。
【００５７】
但し、本実施形態では、第１の信号と第２の信号は区別できない（どちらも、全スイッチ３１がＯＦＦという信号）ので、第１の信号と第２の信号が出力されたときは、いずれも、ランプ３２を無灯（あるいは全灯）とするのがよい。ランプ３２の点灯制御のバリエーションについては後述する。
【００５８】
なお、前記第１と第２の信号の区別をするために、眼鏡が載置かれているかどうかを検知する手段を設け、眼鏡が載っていない場合は第１の信号、眼鏡が載っている場合は第２の信号と区別するようにしても良い。
【００５９】
また、載置した眼鏡１００のバランスが不良である場合は、テーブル２０が傾き、傾いた側のスイッチ３１がＯＮする。従って、制御部３０から第３の信号が出力されることになり、第３の信号に基づいて、傾いた側（または反対の側）のランプ３２を点灯（あるいは点滅）させることにより、重心が適正重心位置Ｇからずれていること、及び、その重心の偏心した方向を知らせることができる。
【００６０】
そして、そのランプ３２の表示に基づいて、バランスウェイト（錘）をテーブル２０上に、重さを調節しながら載せることによって、取り付ける必要のあるバランスウェイトの選定を行うことができる。つまり、テーブル２０が傾かないように（あるいは、例えば全部のランプ３２が消えるように）、バランスウェイトを載せて行くことによって、装着すべきバランスウェイトの選定を行うことができる。第２の信号が出力された時点（例えば全部のランプ３２が消えた時点）で調整は終了し、あとはそのバランスウェイトを、例えばモダン部１０５に取り付けることによって、適正バランスの眼鏡を提供することができる。
【００６１】
このように、テーブル２０上に検査対象の眼鏡１００（フレームにレンズを嵌めてフィッティングした状態の完成品の眼鏡）を載置した状態でのランプ３２の点灯の仕方によって、眼鏡１００の重量バランスが適正か否かを判断することができるし、ランプ３２の点灯する場所によって、前後左右のどの方向に重心がずれているのかが容易に分かる。従って、前後のバランスばかりでなく、左右のバランス調整も簡単にできる。
【００６２】
また、重心の偏心の方向を、ランプ３２の点く位置で判断できるので、従来のように眼鏡を載置したテーブルの傾きを目視で観察するのと違い、即座に正確に重心のずれている方向を判別することができ、バランス調整がしやすくなる。従って、眼鏡店の店頭などにおいて、お客に見せながら、そして、お客に納得して貰いながら、眼鏡の重量バランスを調整することができる。
【００６３】
また、検査時には、バランスウェイトを眼鏡フレーム１０１に直接固定しないで、バランスウェイトの装着予定部位（例えばモダン部１０５）の近傍のテーブル２０上に置くだけで、計測結果を近似させることができる。従って、効率よく、適切なバランスウェイトの重量選定を行うことができ、店頭での利便性の向上が図れる。
【００６４】
また、本実施形態の場合、複数のスイッチ３１でテーブル２０の傾きを検出するようにしているので、制御部３０内の電気回路を簡単に構成することができる。
【００６５】
＜第２実施形態＞
図３は第２実施形態の眼鏡の重量バランス検査装置Ｋ２の構成を示す断面図である。
前記第１実施形態の検査装置Ｋ１では、多数のスイッチ３１を検出手段として配設したが、本第２実施形態の検査装置Ｋ２では、検出手段として、スイッチの代わりに、テーブル２０の中央下面に、テーブル２０の傾斜方向に応じた信号を出力し得る傾斜センサ３５を取り付けている。傾斜センサ３５の種類は問わない。また、テーブル２０を、図２に示すように支持ピン１５により中心部で支持するのではなく、周縁下部に配した複数のバネ１８で支持している。傾斜センサ３５の信号は制御部３０に取り込まれ、制御部３０は、傾斜センサ３５の信号に基づき、傾斜した方向（または逆方向）のランプ３２を点灯させる。
【００６６】
このように傾斜センサ３５でテーブル２０の傾きを検出するようにした場合は、多数のスイッチ３１を使わないですむので、シンプルな構造にすることができる。
【００６７】
＜第３実施形態＞
図４は第３実施形態の眼鏡の重量バランス検査装置Ｋ３の構成を示す断面図である。
前述した第１、第２実施形態の検査装置Ｋ１、Ｋ２では、テーブル２０を傾動自在に支持して、テーブル２０の傾きを検出することで、眼鏡１００の重心の偏心を検出するようにしていたが、本第３実施形態の検査装置Ｋ３では、テーブル２０の下面に、基準点Ｐ（図１参照）の周りに、円周方向に間隔をおいて、テーブル２０に加わる荷重を検知する手段である複数の圧電センサ３７（荷重検出素子）を配置し、これら圧電センサ３７によって、荷重の偏在を検出するようにしている。重心が偏心している場合は、各圧電センサ３７の検出値に差が出るので、その差により重心がどの位置にあるかを知ることができる。
【００６８】
このように圧電センサで３７でテーブル２０に作用する荷重の偏在を検出する場合、テーブル２０を傾動自在に支持する必要がないので、構造の単純化が図れる。
【００６９】
＜第４実施形態＞
また、圧電センサ３７を使用した場合は、重心の偏在量を数値化して知ることができるので、図５の第４実施形態の検査装置Ｋ４のように、テーブル２０の不使用部分に配置したディスプレイ５０に、検査結果を、数値や図表として表示することができる。ここで、ディスプレイ５０の重さをテーブル２０に載せたくない場合は、テーブル２０に透明部分５１を設けて、下側のディスプレイ５０を、透明部分５１を通して見ることができるようにすればよい。
【００７０】
図５の例では、眼鏡載置位置指定手段として、テーブル２０の上面（載置面）に、眼鏡１００をイメージした図形２２Ｂを描いてある。
【００７１】
なお、上述の各実施形態では、円形のテーブル２０の図形中心Ｏに基準点Ｐを設定した場合について説明したが、基準点はどこに設定してもよい。図１、図５の例から分かるように、眼鏡１００の適正重心位置Ｇは、フロント部１０２側に近い位置にあるので、基準点Ｐを円形の中心Ｏに設定すると、テーブル２０上に無駄な領域（フロント部１０２の前側のスペース）ができてしまう。図５の例では、その無駄な領域にディスプレイ５０を配置して有効利用している。なお、フロント部１０２の前側のスペースを減らすようにした例を次の実施形態として提示する。
【００７２】
＜第５実施形態＞
図６は第５実施形態の眼鏡の重量バランス検査装置Ｋ５の平面図、図７はどの使用状態を示す斜視図である。
この検査装置Ｋ５では、円形のテーブル２０の図形中心Ｏから偏心した位置に基準点Ｐ（適正重心位置Ｇと一致）を設定し、偏心によりテーブル２０の周縁との距離が最短の位置にフロント部１０２（図７参照）を向けて眼鏡１００を載置するように、眼鏡載置位置指定手段であるイメージ図形２２Ｂを描いている。また、基準点Ｐの下側にテーブル２０を安定的に支持するためのバネ１９を複数配置し、基準点Ｐを中心にテーブル２０が傾動できるようにしている。図中Ｈは、例として、重心の偏在によりランプ３２が光っている場所を示している。
【００７３】
このように、テーブル２０の図形中心Ｏから偏心した位置に基準点Ｐを設定した場合は、検査装置Ｋ５の平面寸法の小型化を図ることができる。
【００７４】
＜第６実施形態＞
図１１は、前記第１の実施形態の眼鏡の重量バランス検査装置と同様の構成において、テーブルを支持ピンで支持する場合の支持構造の変形例である。テーブル支持構造以外の構成は、第１実施形態と同じなので、図示及び説明は省略する。
【００７５】
ここで示す各例では、テーブル２０の傾動方向の検知を適度な感度にするため、支持ピンの先端形状とテーブル側の接触点の構造を変形させている。
【００７６】
図１１（ａ）は、支持ピン３１５Ａの上端を平面３１５ａに設定し、テーブル２０側の接触凸部３２５Ａの接触面を球面３２５ａに設定した例である。
【００７７】
図１１（ｂ）は、（ａ）と同様、支持ピン３１５Ａの上端を平面３１５ａに設定し、テーブル２０側の接触凸部３２５Ｂの接触面を、（ａ）の場合よりも曲率半径の大きい球面３２５ｂに設定した例である。
【００７８】
図１１（ｃ）は、支持ピン３１５Ｃの上端面を凹面３１５ｃで構成し、テーブル２０側の接触部３２５Ａの接触面を球面３２５ａに設定した例である。
【００７９】
図１１（ｄ）は、支持ピン３１５Ｄの上端面を凸球面３１５ｄで構成し、テーブル２０側の接触部３２５Ｄの接触面を平面３２５ｄに設定した例である。
【００８０】
図１１（ｅ）は、支持ピン３１５Ｄの上端面を凸球面３１５ｄで構成し、テーブル２０側の接触部３２５Ｅの接触面を凹面３１５ｅに設定した例である。
【００８１】
以上のように構成した場合、支持ピン３１５Ａ〜３１５Ｄとテーブル２０との接触面を大きくすることができるので、テーブル２０の傾動方向の検知の感度を落とすことができ、感度が高すぎて重心位置の調整が難しい場合に有効である。
【００８２】
なお、上記実施形態では言及していないが、制御部３０が第３の信号を出力するとき、物体の重心の基準点Ｐからの外れ度合いを含めた信号を出力させ、表示手段に、物体の重心の基準点からの外れ度合いが分かる表示を行わせるようにしてもよい。具体的には、スイッチ方式の場合は、２段にスイッチを設けることで、テーブル２０の傾きの大きさを段階的に検出できるように構成し、それに応じて、ランプ３２の輝度を変えるようにすればよい。また、図４の圧電センサ方式の場合は、最初から段階的に荷重の偏在量を検出できるので、ディスプレイ５０等にその結果を表示すればよい。
【００８３】
このように、重心の外れ度合い（偏心の度合い）が分かるようにした場合、バランス調整のためのバランスウェイトの選定が簡単にできるようになる。
【００８４】
また、テーブル２０の上面に描くイメージ図形２２Ｂは、テーブル２０上に直接描いてもよいが、シートに描いて貼り付けてもよい。また、そのシートの位置を調節できるようにしてもよい。このようにイメージ図形２２Ｂの位置を変えられるようにした場合は、適正重心位置の変更にも容易に対応できる。
【００８５】
また、上記実施の形態では、バランス検出手段は第１〜第３の信号を出力するようにしているが、第１、第２の信号出力機能は省略してもよい。この場合は、第３の信号が出力されない場合は、眼鏡の載置前あるいは、基準位置に重心が一致している場合であり、第３の信号が出力された場合は基準位置が重心からずれていると判断できる。
【００８６】
次に、第１〜第３の信号とランプ３２の点灯の仕方の組み合わせのバリエーションについて簡単に説明する。
例として、次の（Ａ）〜（Ｃ）に示すような組み合わせが挙げられる。なお、第１の信号と第２の信号を区別するには、眼鏡の載置の有無を判別できればよく、例えば、荷重検出手段をテーブル２０の下等に配置すれば可能である。但し、無灯＝全部のランプを点灯せず、全灯＝全部のランプを点灯、弱灯＝弱い光で全点灯、緑灯＝緑色の光で全点灯、部分点灯＝傾斜した側（またはその反対側）のランプのみ点灯、することを表している。
【００８７】
（Ａ）第１の信号（無灯）＋第２の信号（無灯）＋第３の信号（部分点灯）
（Ｂ）第１の信号（無灯）＋第２の信号（全灯）＋第３の信号（部分点灯）
（Ｃ）第１の信号（弱灯）＋第２の信号（緑灯）＋第３の信号（部分赤点灯）
【００８８】
また、ランプ３２の個数や位置は任意に設定すればよく、最低でも４個のランプ３２を９０°間隔で設けるのがよいと言える。
【００８９】
図８は４個のランプを、０°、９０°、１８０°、２７０°の位置に配置した場合のランプ３２の点灯状況とバランス調整の仕方について示す図、図９は４個のランプを４５°、１３５°、２２５°、３１５°の位置に配置した場合のランプ３２の点灯状況とバランス調整の仕方について示す図、図１０は８個のランプを、０°、４５°、９０°、１３５°、１８０°、２２５°、２７０°、３１５°の位置に配置した場合のランプ３２の点灯状況とバランス調整の仕方について示す図である。各ランプ３２にＡ〜Ｈの符号を付けた。
【００９０】
各図（ｂ）の表で、単独符号Ａ〜Ｈは、点灯したランプの位置、つまり、テーブル２０が傾いた方向を示す。Ａ＋Ｃのように「＋」記号で表したものは、ＡとＣのランプが点灯したこと、つまり、ＡとＣの中間方向にテーブル２０が傾いたことを示す。
【００９１】
バランス検査するに当たって、まず、錘の重量の種類を３段階以上に設定する。例えば、等間隔で５段階に設定する。最初は、錘Ｍ１、Ｍ２を中間の重さに設定しておく。そして、ランプ３２の点灯具合に応じて錘の重さを加減する。
【００９２】
例えば、図８の場合には次の操作を行う。
（１）Ａの方向に傾いている場合は、錘Ｍ１を１段軽く、錘Ｍ２を１段軽くする。
（２）Ｂの方向に傾いている場合は、錘Ｍ１を１段重く、錘Ｍ２を１段重くする。
（３）Ｃの方向に傾いている場合は、錘Ｍ１を１段軽く、錘Ｍ２を１段重くする。
（４）Ｄの方向に傾いている場合は、錘Ｍ１を１段重く、錘Ｍ２を１段軽くする。
（５）ＡとＣの中間方向に傾いている場合は、錘Ｍ１だけを１段軽くする。
（６）ＡとＤの中間方向に傾いている場合は、錘Ｍ２だけを１段軽くする。
（７）ＢとＣの中間方向に傾いている場合は、錘Ｍ２だけを１段重くする。
（８）ＢとＤの中間方向に傾いている場合は、錘Ｍ１だけを１段重くする。
【００９３】
図９の場合と図１０の場合は、図８の場合と次の対応関係にあるので、（１）〜（８）と同様の操作を行えばよい。
（１）Ａ＝Ｅ＋Ｆ
（２）Ｂ＝Ｇ＋Ｈ
（３）Ｃ＝Ｅ＋Ｇ
（４）Ｄ＝Ｆ＋Ｈ
（５）Ａ＋Ｃ＝Ｅ
（６）Ａ＋Ｄ＝Ｆ
（７）Ｂ＋Ｃ＝Ｇ
（８）Ｂ＋Ｄ＝Ｈ
【００９４】
なお、上記の各例では、重心のずれ方向だけを、表示部（ランプ３２やディスプレイ５０など）にて表示するようにしているが、バランス調整が必要な部位（右モダン、左モダン、左右モダン）と、そのバランス調整が重さを増やす方向の調整であるか減らす方向の調整であるかを、表示部にて表示させるようにしてもよい。また、この表示を行う部分は、前記テーブル２０上の眼鏡イメージ部分やその付近に配置してもよい。なお、この場合のバランス調整部位と重さの増減についての表示内容は、重心のずれ方向の検出結果を基に演算処理部で計算して決める。
【図面の簡単な説明】
【００９５】
【図１】本発明の第１実施形態の眼鏡の重量バランス検査装置の構成を示すもので、（ａ）は平面図、（ｂ）は側断面図である。
【図２】図１（ｂ）の要部を拡大して示す図である。
【図３】本発明の第２実施形態の概略構成を示す断面図である。
【図４】本発明の第３実施形態の概略構成を示す断面図である。
【図５】本発明の第４実施形態の概略構成を示す平面図である。
【図６】本発明の第５実施形態の概略構成を示す平面図である。
【図７】第５実施形態の使用状態を示す斜視図である。
【図８】ランプの点灯状況とバランス調整の仕方の例について示す図である。
【図９】ランプの点灯状況とバランス調整の仕方の他の例について示す図である。
【図１０】ランプの点灯状況とバランス調整の仕方のさらに他の例について示す図である。
【図１１】第１実施形態のテーブルの支持構造の各変形例（ａ）〜（ｅ）を示す要部拡大図である。
【図１２】従来例の説明図である。
【符号の説明】
【００９６】
Ｋ１〜Ｋ５  眼鏡の重量バランス検査装置
１６  回り止めピン（回り止め手段）
２０  テーブル
２２Ａ  支持部材（眼鏡載置位置指定手段）
２２Ｂ  眼鏡をイメージした図形（眼鏡載置位置指定手段）
２３  バランス調整ネジ（バランス調整手段）
２６  貫通孔（回り止め手段）
３０  制御部
３１  スイッチ
３２  ランプ（光源）
３５  傾斜センサ
３７  圧電センサ（荷重検出素子）
１００  眼鏡
１０１  眼鏡フレーム
１０２  フロント部
１０４  ブリッジ部
Ｇ  適正重心位置
Ｏ  テーブルの中心
Ｐ  基準点
【図１】
2008096225.tif 000003
【図２】
2008096225.tif 000004
【図３】
2008096225.tif 000005
【図４】
2008096225.tif 000006
【図５】
2008096225.tif 000007
【図６】
2008096225.tif 000008
【図７】
2008096225.tif 000009
【図８】
2008096225.tif 000010
【図９】
2008096225.tif 000011
【図１０】
2008096225.tif 000012
【図１１】
2008096225.tif 000013
【図１２】
2008096225.tif 000014